(57)【特許請求の範囲】
【請求項１】
車体取付用ブラケットに組付けられる上面の中央に開口部を有する角筒型のマウント金具の内側にエキゾーストパイプの連接部を支持する連結部をゴム弾性体で一体成形してなる本体部が前記ブラケットに溶接にて結合されるエキゾーストマウント構造において、マウント金具には開口部両側の肩部から曲げ形成された立曲げ部を設け、車体取付用ブラケットには前記立曲げ部が挿通可能な一対の長孔を開設し、長孔を貫通した立曲げ部と車体取付けブラケットの交差部に溶接部を施してなるエキゾーストマウント構造であって、
マウント金具は立曲げ部と肩部との交差角度θを９０度以下に形成し、かつ、その交点の曲げ部をマウント金具の内方へ押し込んで形成され、該マウント金具で本体部が形成されることを特徴とするエキゾーストマウント構造。
【請求項２】
請求項１において、
本体部成形後の立曲げ部の最大間隔寸法は一対の長孔の最大間隔よりも大きく、かつ、肩部の離間寸法は一対の長孔の最大間隔と等しいか又は小さいことを特徴とするエキゾーストマウント構造。
【請求項３】
請求項１又は２において、
マウント金具は立曲げ部を形成すべく耳部を両端部に形成した長方形の板金を左右対称の角筒型に折り曲げ、かつ、耳部を立ち曲げて肩部に続く立曲げ部を形成してなることを特徴とするエキゾーストマウント構造。
【請求項４】
請求項１又は２又は３において、
マウント金具は立曲げ部を形成すべき耳部を両端部に形成した長方形の板金を左右対称の角筒型に折り曲げ、かつ、耳部を立ち曲げて肩部に続く立曲げ部を形成するとともに、本体部成形時一対の立曲げ部の間隔を車体取付用ブラケットの一対の長孔の間隔よりも大きく開いた状態で成形し、立曲げ部を長孔に差し込むときは本体部を圧縮し立曲げ部の開きを小さくして長孔の間隔に合わせることを特徴とするエキゾーストマウント構造。
【発明の詳細な説明】
【０００１】
【発明の属する技術分野】
この発明はエキゾーストマウント構造に係り、特に自動車におけるエキゾーストパイプの連接部を支持する連結部を角筒型マウント金具内にゴム弾性体で一体成形してなる本体部が、車体に固定される車体取付用ブラケットに溶接にて結合されるエキゾーストマウント構造に関する。
【０００２】
【従来の技術】
従来から知られているこの種の構造は、図１２及び図１３に示すように、車体取付用ブラケット１に本体部２を溶接で結合してある。車体取付用ブラケット１は一端部側に取付固定用ボルト孔３，３と他端部側に角孔４を穿設してなる平板状体を、その両側部側を曲げて補強した金具である。また、本体部２は矩形のマウント金具５の内側に、ゴム弾性体６，６を介し連結部７を一体成形して形成される。連結部７には図示略のエキゾーストパイプの連接部を挿通する透孔８が穿設されている。
【０００３】
車体取付用ブラケット１と本体部２との結合は、本体部２の上面に車体取付用ブラケット１を載せて角孔４の少なくとも相対向する２辺側で、角孔４の内側面とマウント金具５との交差部を溶接部Ｖ，Ｖで結合して構成した。
【０００４】
【発明が解決しようとする課題】
しかしながら、このような従来のエキゾーストマウント構造によれば、溶接部Ｖ，Ｖは角孔４の内側面とマウント金具５の上面との交差部に施されるので、本体部２にエキゾーストパイプの荷重が掛かり、かつ、エキゾーストパイプが上下又は左右に揺動して本体部２にその力が負荷されると、溶接部Ｖ，Ｖには引張力が強く作用して破壊され、本体部２が車体取付用ブラケット１から脱落すると云う不具合があった。
【０００５】
【課題を解決するための手段】
そこで、この発明は上記不具合を解消すべく、車体取付用ブラケットには前記角孔に代えて一対の離間した長孔を平行に設ける一方、マウント金具にはこれらの長孔に差し込むべき一対の立曲げ部を設け、長孔を貫通させた立曲げ部と車体取付用ブラケットとの交差部を溶接する。これにより、仮に溶接部が破損しても長孔内に止まり楔作用を生じて本体部が車体取付用ブラケットから直ちに脱落するのを防止できる。
【０００６】
加えて、長孔に立曲げ部を差し込んで溶接する際に、立曲げ部と肩部との交点における曲部が長孔の下面角部に当接し乗り上げて隙間を形成しないように、立曲げ部と肩部との交差角度θを９０度以下に形成し、かつ、その曲部をマウント金具の内方へ押し込んで形成し、曲部が長孔の下面角部から離れて位置するように形成する。
【０００７】
さらに、溶接作業に際して長孔を貫通させた立曲げ部が容易に脱落しないように、本体部成形後の立曲げ部の最大間隔寸法は一対の長孔の最大間隔よりも大きく、かつ、肩部の離間寸法は一対の長孔の最大間隔と等しいか又は小さくする。
【０００８】
なお、マウント金具は従来同様の角パイプを用い、その一側面を切り開いて一対の立曲げ部を形成したものとしてもよいが、コスト削減のため、立曲げ部を形成すべき耳部を両端部に形成した長方形の板金を左右対称の角筒型に折り曲げ、かつ、耳部を立ち曲げて開いた一対の立曲げ部を備えたものとする。
【０００９】
また、マウント金具は立曲げ部を形成すべき耳部を両端部に形成した長方形の板金を左右対称の角筒型に折り曲げ、かつ、耳部を立ち曲げて肩部に続く立曲げ部を形成するとともに、一対の立曲げ部の間隔を長孔の間隔よりも大きく開いた状態で本体部を一体成形したものとしてもよい。
【００１０】
この場合、立曲げ部を長孔に差し込むときは本体部を圧縮して立曲げ部の間隔寸法を長孔の間隔寸法に合わせ、差し込み後は本体部自体が有する反力で立曲げ部が長孔の内側面に摺接して抜け難くなり、仮止めできる。
【００１１】
【発明の実施の形態】
以下、この発明の実施の形態を図に基づき説明する。図１及び図２に示すこの発明の実施の第１形態は、車体取付用ブラケット１０に角孔４に代わる一対の長孔１１，１１を並列して開設する。一方、本体部２０を形成するマウント金具５０にはこの長孔１１，１１に差し込む立曲げ部１２，１２を形成する。そして、図１〜図３に示すように、長孔１１，１１を貫通した立曲げ部１２，１２と車体取付用ブラケット１０との交差部に溶接部Ｖ，Ｖを施して両者を一体に結合する。
【００１２】
車体取付用ブラケット１０は長穴１を除きその他の構成は従来のものと同じであるが、マウント金具５０は板金を角筒型にして形成される。すなわち、長方形の両側端部に立ち上げ部１２となるべき耳部を形成した板金を左右対称に折り曲げて上面の中央に開口部を有する角筒型に形成されている。その内側には従来同様にゴム弾体６，６で一体形成された連結部７が収納されて本体部２０が構成されている。マウント金具５０の立曲げ部１２は肩部１３から直交して曲げ形成されている。
【００１３】
この構成により、長孔１１を貫通した立曲げ部１２の側面と車体取付用ブラケット１０との交差部に溶接部Ｖを施すので、溶接部Ｖは引張り力よりもむしろ圧縮力が作用することになり、仮に破壊されても長孔１１側へ引き込まれて長孔１１を塞ぐことで楔作用を生じて立曲げ部１２の脱落を防止する。
【００１４】
次に、図５及び図６に示すこの発明の実施の第２形態を説明する。この第２形態において、マウント金具５１は立曲げ部１２と肩部１３との交点に形成される曲部Ｒが肩部１３，１３に当接すべき車体取付用ブラケット１０の下面よりも下方に位置するように内側へ傾斜している。すなわち、立曲げ部１２と肩部１３の交差角度θを９０度以下に形成し、かつ、曲部Ｒを本体部２１の内方へ若干押し込んだ形態にする。車体取付用ブラケット１０については前例と同様とする。
【００１５】
したがってこの場合、長孔１１に立曲げ部１２を差し込んだときには、図６に示すように、曲部Ｒは長孔１１の下面角部１４から離れて隙間Ｓを形成するものの、マウント金具５１の隅角部付近１５が車体取付用ブラケット１０の下面に当接することとなり、本体部２１の安定した接触状態を得ることができる。この構成により、前記実施の第１形態にあっては長孔１１の下面角部１４が曲部Ｒに乗り上げるのを防止することができるので、長孔１１の下面角部１４を面取り加工する作業を省略できると云う利点を伴う。
【００１６】
また、図７及び図８に示すこの発明の実施の第３形態を説明する。この第３形態において、マウント金具５２は第２形態と同じく立曲げ部１２と肩部１３との交差角度θを９０度以下に形成するとともに、曲部Ｒが肩部１３，１３に当接すべき車体取付用ブラケット１０の下面よりも下方に位置するように内側へ傾斜させる一方、第２形態とは異なり立曲げ部１２，１２は互いに背反して外側方向へ傾斜した構成とする。車体取付用ブラケット１０については前例と同様とする。
【００１７】
すなわち、図９及び図１０に示すように、肩部１３，１３の間隔ａ、長孔１１，１１の最大間隔ｂ、及び、立曲げ部１２，１２の最大間隔ｃの関係については、ａ≦ｂ＜ｃとする。つまり、立曲げ部１２，１２の最大間隔ｃは長孔１１，１１の最大間隔ｂと肩部１３，１３の間隔ａよりも大きいものとする。因に、前記第１及び第２形態ではａ＝ｂ＝ｃである。
【００１８】
この構成により、図１０に示すように、立曲げ部１２の外側面が長孔１１の内側面に摺接し、若しくは、長孔１１の上面角部１６に当接することで抜け止めの作用を奏する。したがって、前記第１形態にあっては長孔１１を貫通した立曲げ部１２を溶接する際に、立曲げ部１２が不用意に長孔１１から脱落する（図４参照）ので、予め治具を用いて車体取付けブラケット１０と本体部２０とを結合しておく作業が必要となるが、この第３形態ではそれを省略できる。
【００１９】
さらに、立曲げ部１２が長孔１１から不用意に脱落するのを防止する対策として、図１１に示すこの発明の実施の第４形態である本体部２３は、本体部２３自体が反力を持つことで立曲げ部１２が長孔１１の内側面に摺接するように形成する。すなわち、車体取付用ブラケット１０については前例と同様とし、本体部２３については立曲げ部１２，１２の間隔寸法ｃ´を長孔１１，１１の間隔寸法ｂよりも大きく開かせた状態でその内側にゴム成形体６，６と連結部７を予め形成する。
【００２０】
したがってこの例では、立曲げ部１２を長孔１１に差し込むときは、立曲げ部１２，１２の間隔寸法ｃ´を長孔１１，１１の間隔寸法ａとなるように、両側壁部２４，２４を矢示方向に力を加えて圧縮する。なお、この例にあっては、本体部２３成形前のマウント金具５３の肩部１３，１３の間隔ａ、立曲げ部１２，１２の最大間隔ｃ、及び長穴１１，１１の最大間隔ｂの関係については、ａ≦ｂ＜ｃでも、ａ＝ｂ＝ｃでもよいし、実施の第２，３形態の曲げでもよい。
【００２１】
この構成により、本体部２３を形成するマウント金具５３の板金の変形とゴム成形体６，６の圧縮による反力を生じるので、長孔１１を貫通した立曲げ部１２は長孔１１の内側面に摺接し、その摩擦抵抗が不用意に脱落するのを防止する作用を奏する。しかも、この例にあっては、ゴム成形体６，６が予備圧縮されることとなり、その耐久性が向上すると云う利点を伴う。
【００２２】
【発明の効果】
請求項１記載の発明によれば、車体取付用ブラケットの一対の長孔を貫通した本体部の一対の立曲げ部の側面と車体取付用ブラケットとの交差部に溶接部を施すので、溶接部は引張り力よりもむしろ圧縮力が作用することになり、仮に破壊されても長孔側へ引き込まれて長孔を塞ぐことで楔作用を生じるから立曲げ部の脱落を防止できる。
【００２３】
さらに、立曲げ部と肩部の交点の曲部が車体取付用ブラケットの長孔の下面角部に乗り上げ隙間ができて破損する原因となるのを防止することができるとともに、長孔の下面角部を面取りする作業を省略できる。
【００２４】
請求項２記載の発明によれば、請求項１の効果に加え、車体取付用ブラケットの一対の長孔を貫通した本体部の一対の立曲げ部の側面が、長孔の側面に摺接し又は上面角部に当接することにより本体部が車体取付用ブラケットから脱落するのを防止でき、本体部を車体取付用ブラケットに組み付けた後溶接するまでの間の仮止めができて両方が分離する不具合を防止でき、治具に固定しなくともよいので作業性が向上する。
【００２５】
請求項３記載の発明によれば、請求項１及び２の効果に加え、マウント金具は長方形の板金を折り曲げて角筒型を形成することができるため、角パイプを用いる場合に比べるとかなりのコスト削減が可能になる。
【００２６】
請求項４記載の発明によれば、請求項１〜３の効果に加え、本体部を圧縮することで弾性体が予備圧縮されてその耐久性が向上する。また、マウント金具は長方形の板金を折り曲げて角筒型を形成することができるため、角パイプを用いる場合に比べるとかなりのコスト削減が可能になる。
【図面の簡単な説明】
【図１】この発明の実施の第１形態を示す平面図。
【図２】図１の正面図。
【図３】第１形態における立曲げ部と長孔の関係を示す要部断面図。
【図４】第１形態における立曲げ部と長孔の関係を示す要部断面説明図。
【図５】この発明の実施の第２形態を示す本体部の正面図。
【図６】図５の一部断面正面図。
【図７】この発明の実施の第３形態を示す正面図。
【図８】図７の一部断面とした組み立て例図。
【図９】第３形態における本体部の正面図。
【図１０】第３形態における立曲げ部と長孔の関係を示す断面図。
【図１１】この発明の実施の第４形態を示す分解正面図。
【図１２】従来例の平面図。
【図１３】図１２の正面図。
【符号の説明】
Ｖ…溶接部
Ｒ…曲げ部
６…ゴム成形体
７…連結部
１０…車体取付用ブラケット
１１…長孔
１２…立曲げ部
１３…肩部
２０，２１，２２，２３…本体部
５０…マウント金具
５０，５１，５２，５３…マウント金具
【図１】
0003691342.tif 000002
【図２】
0003691342.tif 000003
【図３】
0003691342.tif 000004
【図４】
0003691342.tif 000005
【図５】
0003691342.tif 000006
【図６】
0003691342.tif 000007
【図７】
0003691342.tif 000008
【図８】
0003691342.tif 000009
【図９】
0003691342.tif 000010
【図１０】
0003691342.tif 000011
【図１１】
0003691342.tif 000012
【図１２】
0003691342.tif 000013
【図１３】
0003691342.tif 000014